(57)【要約】【課題】手持ち式製品の二次電池ストレージ装置を提供する。【解決手段】本体に、保持機構とストレージ機構とが設けられ、当該保持機構は、可動的であるように、ストレージ機構の上方に設けられ、当該ストレージ機構は、複数のストレージセルからなり、各ストレージセルの底部に形成される開口は、それぞれ、スイッチによって制御され、当該ストレージセルの底部に形成される開口の下方に、取出し口までの坂が設けられ、使用する時、電池が本体に投入されて必要処理が完成された後、当該保持機構が、予めに設定したストレージセル上に移動して回転することにより、電池が当該ストレージセルに落ち込み、蓄蔵保管の効果が得られ、また、当該ストレージセルの設定を解除すると、ストレージセルの底部に形成される開口のスイッチが駆動され、電池が坂に沿って取出し口まで滑ることにより、電池を取り出すことができる。【選択図】図１
0003125498.tif 000002
【実用新案登録請求の範囲】
【請求項１】
主として、本体に、少なくとも一つの保持機構と少なくとも一つのストレージ機構が設けられ、
当該保持機構が、可動的であるように、ストレージ機構の上方に設けられ、
当該ストレージ機構が、複数のストレージセルからなり、
各ストレージセルの底部に形成される開口が、それぞれ、スイッチによって制御され、
また、当該ストレージセルの底部に形成される開口の下方に、取出し口までの坂が設けられ、
使用する時、電池が本体に投入されて必要処理が完成された後、当該保持機構が、予め設定したストレージセル上に移動して回転することにより、電池が当該ストレージセルに落ち込み、蓄蔵保管の効果が得られ、
また、当該ストレージセルの設定を解除すると、ストレージセルの底部に形成される開口のスイッチが駆動され、電池が坂に沿って取出し口まで滑ることにより、電池を取り出すことができることを特徴とする、
手持ち式製品の二次電池ストレージ装置。
【請求項２】
当該ストレージ機構の各ストレージセルの底部に形成される開口は、一側に、底板が軸合され、底板の開閉が片側開閉式であることを特徴とする、請求項１に記載の手持ち式製品の二次電池ストレージ装置。
【請求項３】
当該ストレージ機構の各ストレージセルの底部に形成される開口は、両側に、それぞれ、平行する短い板が軸合され、底板の開閉が、両側開閉式であることを特徴とする請求項１に記載の手持ち式製品の二次電池ストレージ装置。
【請求項４】
当該ストレージ機構の各ストレージセルの底部に形成される開口は、両側に、それぞれ、互いに噛み合う短い板が軸合され、底板の開閉が、両側開閉式であることを特徴とする請求項１に記載の手持ち式製品の二次電池ストレージ装置。
【考案の詳細な説明】
【技術分野】
【０００１】
本考案は、各種類の携帯式電子製品の電池充電器や電池電力検査器或いは電池効果増幅器のストレージ装置に設置できる手持ち式製品の二次電池ストレージ装置に関する。
【背景技術】
【０００２】
電子情報器材の発達とともに、携帯電話やディジタルカメラ等の情報製品も十分に普及される。
【０００３】
携帯電話を例として、空間を取らない小さい体積で、非常に便利であるため、１人１基ほど、携帯電話が普及している。
一般に、携帯電話には、ユーザーが電池を交換できるために、二つの電池が付いているが、ユーザーが、二つの電池を充電することを忘れて、電池に電力がないと、携帯電話と当該携帯電話に蓄蔵されるデータを利用できなくなる。
その際、ユーザーが充電器を持っていない場合、或いは、充電器を持っていても電源がない場合、携帯電話の電池を充電できなくなり、公衆電話しか利用できないため、解決しなければならない課題がある。
【０００４】
上記の課題を解消するために、コイン式充電器が登場し、ユーザーがそれを利用して電池を充電することができる。
当該充電器は、即時に電池を充電できるが、充電が済むと、当該電池が直ちに取出し口に落ち込むため、ユーザーが本体の傍で電池の充電を待ち、充電終了後、直ぐ電池を取り出さなければならなく、そうでなければ、電池が盗まれる恐れがある。
【０００５】
本考案者は、上記の問題を解消するために、慎重に研究することにより、充電済みの電池を予めに設定したストレージ装置に保存することにより、充電済みの電池が盗まれることない手持ち式製品の二次電池ストレージ装置を提案する。
【考案の開示】
【考案が解決しようとする課題】
【０００６】
本考案の主な目的は、電池が、本体で、設定された処理を終了した後、電池が、盗まれることないように、ストレージ装置に保存される手持ち式製品の二次電池ストレージ装置を提供する。
【０００７】
本考案の他の目的は、電池のオーナーが、電池を充電する本体の傍で待つことが要らず、自由自在に時間を運用できるストレージ装置に保存される手持ち式製品の二次電池ストレージ装置を提供する。
【課題を解決するための手段】
【０００８】
本願の第１考案は、上記の目的を達成するために、主として、本体に、少なくとも一つの保持機構と少なくとも一つのストレージ機構が設けられ、当該保持機構が、可動的であるように、ストレージ機構の上方に設けられ、当該ストレージ機構が、複数のストレージセルからなり、各ストレージセルの底部に形成される開口が、それぞれ、スイッチによって制御され、また、当該ストレージセルの底部に形成される開口の下方に、取出し口までの坂が設けられ、使用する時、電池が本体に投入されて必要処理が完成された後、当該保持機構が、予め設定したストレージセル上に移動して回転することにより、電池が当該ストレージセルに落ち込み、蓄蔵保管の効果が得られ、また、当該ストレージセルの設定を解除すると、ストレージセルの底部に形成される開口のスイッチが駆動され、電池が坂に沿って取出し口まで滑ることにより、電池を取り出すことができることを特徴とする、手持ち式製品の二次電池ストレージ装置を提供する。
また、本願の第２考案は、当該ストレージ機構の各ストレージセルの底部に形成される開口は、一側に、底板が軸合され、底板の開閉が片側開閉式であることを特徴とする、第１考案に記載の手持ち式製品の二次電池ストレージ装置を提供する。
また、本願の第３考案は、当該ストレージ機構の各ストレージセルの底部に形成される開口は、両側に、それぞれ、平行する短い板が軸合され、底板の開閉が、両側開閉式であることを特徴とする、第１考案に記載の手持ち式製品の二次電池ストレージ装置を提供する。
また、本願の第４考案は、当該ストレージ機構の各ストレージセルの底部に形成される開口は、両側に、それぞれ、互いに噛み合う短い板が軸合され、底板の開閉が、両側開閉式であることを特徴とする、第１考案に記載の手持ち式製品の二次電池ストレージ装置を提供する。
【考案の効果】
【０００９】
本考案に係わる手持ち式製品の二次電池ストレージ装置は、次の利点が得られる。
【００１０】
１．当該ストレージ機構により必要処理が完成された電池を蓄蔵することにより、処理済みの電池が、本体が次の電池を処理することに影響しないだけでなく、有効的に処理済みの電池を保護できる。
【００１１】
２．ストレージ機構により保存することにより、ユーザーが時間を活用でき、本体の傍に居なくても、電池が盗まれることがない。
【００１２】
３．本考案のストレージ機構により、本体の効果が大幅に向上される。
【考案を実施するための最良の形態】
【００１３】
以下、図面を参照しながら、具体的な実施例を挙げて説明することにより、本考案の他の特長が分かる。
【実施例】
【００１４】
本考案に係わる手持ち式製品の二次電池ストレージ装置は、電池充電器や電池電力検査器或いは電池効果増幅器に設置することが可能で、本実施例において、電池充電器を例として説明する。
図１を参照すると、当該充電本体１は、電池投入口１０１と制御パネル、コイン投入口及び取出し口１０３が設けられ、内部に、保持機構１１とストレージ機構１２が設けられる。当該保持機構１１は、ストレージ機構１２の上方に設けられ、当該電池投入口１０１は、当該保持機構１１に連結される坂が設けられ、当該ストレージ機構１２は、下方に、取出し口１０３までの坂１０２が設けられる。
【００１５】
当該保持機構１１は、回転可能のＬ文字形状の平台が設けられ、当該Ｌ文字形状の平台上に、上下昇降できる押え板が設けられる。
また、Ｌ文字形状の平台が前後に摺動できるための軌道１１１が設けられる。
【００１６】
当該ストレージ機構１２は、複数の整然に配列されたストレージセル１２１〜１２６が設けられ、当該ストレージセル１２１〜１２６は、底部の一側に、それぞれ、底板１２７が軸合され、各底板１２７は、スイッチにより開閉が制御される。
図２のように、本実施例において、スイッチは、伸縮棒スイッチ１２８であり、当該伸縮棒スイッチ１２８は、充電本体の制御パネルに接続される。
【００１７】
図３を参照すると、ユーザーが、当該充電本体１で電池２に電量を補充する時、まず、充電本体１の制御パネルにより、ストレージ機構１２内のあるストレージセルを選択する。例えば、第２のストレージセル１２２を選択し、また、制御パネルで、第２のストレージセル１２２の底板１２７の伸縮棒スイッチ１２８のパスワードと充電時間を設定し、設定が完成された後、コインをコイン投入口に投入する。
電池２を電池投入口１０１から充電本体１内に投入し、この時、充電本体１の指示に従って、例えば、接触端子が前方へ上向きか左方へ下向きのように、当該電池２を投入すると、当該電池２が、保持機構１１のＬ文字形状の平台上に滑り、当該Ｌ文字形状の平台上の押え板により電池２が安定的に位置付けられて、充電を行う。この充電時間に、電池のオーナーが、充電本体１の傍に居ることが必要ない。
充電時間が到達すると、当該Ｌ文字形状の平台が、軌道１１１により第２のストレージセル１２２の上方に移動し、また、押え板が上昇し、当該Ｌ文字形状の平台が、下へ回転して、Ｌ文字形状の平台上にある電池２が第２のストレージセル１２２内へ滑り込む。そのため、電池のオーナーが、充電本体１の傍に居なくても、当該充電本体１が、次の電池２を充電することができる。
ユーザーが充電済みの電池２を取り出す時、パスワードを制御パネルに入力して、伸縮棒スイッチ１２８を制御すると、底板１２７が開き、第２のストレージセル１２２内の電池２が下へ落ちて、また、坂１０２に沿って底部へ滑り、取出し口１０３から、電池２を取り出すことができる。
【００１８】
また、図４を参照すると、各ストレージセル１２１〜１２６の下方の両側に、それぞれ、短い板１２９が軸合され、当該二つの短い板１２９を連接する時の長さが、当該ストレージセル１２１〜１２６の長さに等しいかより長い。
また、二つの短い板１２９の間に、例えば、磁気リードスイッチ１３０のような制御スイッチが設けられ、また、二つの短い板１２９が、左右平行に並列になるか互いに噛み合うようになる。
電池２がストレージセル１２１〜１２６内に落ち込むと、当該磁気リードスイッチ１３０が制御パネルにより制御されることにより、二つの短い板１２９が分離し、電池２が坂１０２に沿って取出し口１０３に滑り込み、取り出すことができる。
また、充電本体１の大きさに応じて、複数組の保持機構１１と複数組のストレージ機構１２が設けられて、単一の充電本体１で高効率の充電効果が得られる。
【００１９】
以上は、ただ、本考案のよりよい実施例であり、本考案は、それによって制限されず、本技術を良く分かる熟練者であれば、簡単に等価の変更や修正ができ、それらの等価の変更や修正は、全てが、本考案の実用新案登録請求の範囲内に含まれる。
【図面の簡単な説明】
【００２０】
【図１】本考案に係わる実施例を充電本体に実装する時の平面概念図
【図２】本考案に係わるストレージ機構の素子分解図
【図３】本考案の電池の充電が完成された時の作動概念図
【図４】本考案に係わるストレージ機構の他の応用例図
【符号の説明】
【００２１】
１                  充電本体
１０１              電池投入口
１０２              坂
１０３              取出し口
１１                保持機構
１１１              軌道
１２                ストレージ機構
１２１〜１２６      ストレージセル
１２７              底板
１２８              伸縮棒スイッチ
１２９              短い板
１３０              磁気リードスイッチ
２                  電池
【図１】
0003125498.tif 000003
【図２】
0003125498.tif 000004
【図３】
0003125498.tif 000005
【図４】
0003125498.tif 000006